【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
端末機器（ＴＥ）とモバイル終端（ＭＴ）とを有するモバイルデバイスであって、
前記ＴＥは前記ＭＴに、メディアプロファイルを確定する第１のコマンドを送信し、前記第１のコマンドは前記メディアプロファイルのメディア記述を含み、前記メディア記述はセッション記述プロトコル（ＳＤＰ）に適合し、
前記ＭＴは、前記ＴＥに、前記第１のコマンドへの応答として、前記メディアプロファイルの識別番号を返す、
モバイルデバイス。
【請求項２】
前記第１のコマンドはＡＴコマンドである、請求項１に記載のモバイルデバイス。
【請求項３】
前記ＴＥは前記ＭＴに、前記メディアプロファイルを用いて通信を開始する第２のコマンドをさらに送信し、前記第２のコマンドは前記メディアプロファイルの識別番号を含むＡＴコマンドである、請求項１に記載のモバイルデバイス。
【請求項４】
前記メディアプロファイルはオーディオメディアとビデオメディアのうち少なくとも一方をサポートする、
請求項１に記載のモバイルデバイス。
【請求項５】
前記第１のコマンドは、Ｔｈｉｒｄ  Ｇｅｎｅｒａｔｉｏｎ  Ｐａｒｔｎｅｒｓｈｉｐ  Ｐｒｏｊｅｃｔ  （３ＧＰＰ）  Ｌｏｎｇ  Ｔｅｒｍ  Ｅｖｏｌｕｔｉｏｎ  （ＬＴＥ）プロジェクトに適合した＋ＣＤＥＦＭＰコマンドである、
請求項１に記載のモバイルデバイス。
【請求項６】
前記第２のコマンドは、Ｔｈｉｒｄ  Ｇｅｎｅｒａｔｉｏｎ  Ｐａｒｔｎｅｒｓｈｉｐ  Ｐｒｏｊｅｃｔ  （３ＧＰＰ）  Ｌｏｎｇ  Ｔｅｒｍ  Ｅｖｏｌｕｔｉｏｎ  （ＬＴＥ）プロジェクトに適合した＋ＣＤＵコマンドである、
請求項３に記載のモバイルデバイス。
【請求項７】
前記ＴＥはアプリケーションプロセッサとＭＴインタフェースとを有する、
請求項１に記載のモバイルデバイス。
【請求項８】
前記ＭＴはトランシーバと、ＴＥインタフェースと、前記メディアプロファイルを生成するメディアプロファイル生成モジュールとを有する、請求項１に記載のモバイルデバイス。
【請求項９】
アンテナをさらに有する、請求項１に記載のモバイルデバイス。
【請求項１０】
端末機器（ＴＥ）とモバイル終端（ＭＴ）とを有し、
前記ＭＴはリモートパーティからの呼を受け取り、前記呼に対して第１のメディアプロファイルを提案するコマンドを前記ＴＥに送り、前記コマンドは前記第１のメディアプロファイルのメディア記述を含み、前記メディア記述はセッション記述プロトコル（ＳＤＰ）に適合し、
前記ＴＥは前記第１のメディアプロファイルを受け入れ、または前記呼に対する第２のメディアプロファイルを前記ＭＴに提案する、
モバイルデバイス。
【請求項１１】
前記コマンドはＡＴコマンドである、請求項１０に記載のモバイルデバイス。
【請求項１２】
前記ＴＥはアプリケーションプロセッサとＭＴインタフェースとを有する、
請求項１０に記載のモバイルデバイス。
【請求項１３】
前記ＭＴはトランシーバと、ＴＥインタフェースと、前記メディアプロファイルを生成するメディアプロファイル生成モジュールとを有する、請求項１０に記載のモバイルデバイス。
【請求項１４】
アンテナをさらに有する、請求項１０に記載のモバイルデバイス。
【請求項１５】
端末機器（ＴＥ）とモバイル終端（ＭＴ）とを有し、
前記ＴＥは前記ＭＴに、呼に対してメディアプロファイルを修正するコマンドを送信し、前記コマンドは前記メディアプロファイルのメディア記述を含み、前記メディア記述はセッション記述プロトコル（ＳＤＰ）に適合し、
前記ＭＴは前記コマンドに応じて前記メディアプロファイルを修正する、
モバイルデバイス。
【請求項１６】
前記コマンドはＡＴコマンドである、請求項１５に記載のモバイルデバイス。
【請求項１７】
前記ＴＥはアプリケーションプロセッサとＭＴインタフェースとを有する、
請求項１５に記載のモバイルデバイス。
【請求項１８】
前記ＭＴはトランシーバと、ＴＥインタフェースと、前記メディアプロファイルを生成するメディアプロファイル生成モジュールとを有する、請求項１５に記載のモバイルデバイス。
【請求項１９】
アンテナをさらに有する、請求項１５に記載のモバイルデバイス。
【請求項２０】
端末機器（ＴＥ）とモバイル終端（ＭＴ）とを有するモバイルデバイスにより利用される方法であって、
前記ＴＥから前記ＭＴに、メディアプロファイルを確定する第１のコマンドを送信するステップであって、前記第１のコマンドは前記メディアプロファイルのメディア記述を含み、前記メディア記述はセッション記述プロトコル（ＳＤＰ）に適合する、ステップと、
前記ＭＴから前記ＴＥに、前記第１のコマンドへの応答として、前記メディアプロファイルの識別番号を返すステップとを有する、
方法。
【請求項２１】
前記第１のコマンドはＡＴコマンドである、請求項２０に記載の方法。
【請求項２２】
前記ＴＥから前記ＭＴに、前記メディアプロファイルを用いて通信を開始する第２のコマンドをさらに送信するステップであって、前記第２のコマンドは前記メディアプロファイルの識別番号を含むＡＴコマンドである、ステップをさらに有する、請求項２０に記載の方法。
【請求項２３】
前記メディアプロファイルはオーディオメディアとビデオメディアのうち少なくとも一方をサポートする、
請求項２０に記載の方法。
【請求項２４】
前記第１のコマンドは、Ｔｈｉｒｄ  Ｇｅｎｅｒａｔｉｏｎ  Ｐａｒｔｎｅｒｓｈｉｐ  Ｐｒｏｊｅｃｔ  （３ＧＰＰ）  Ｌｏｎｇ  Ｔｅｒｍ  Ｅｖｏｌｕｔｉｏｎ  （ＬＴＥ）プロジェクトに適合した＋ＣＤＥＦＭＰコマンドである、
請求項２０に記載の方法。
【請求項２５】
前記第２のコマンドは、Ｔｈｉｒｄ  Ｇｅｎｅｒａｔｉｏｎ  Ｐａｒｔｎｅｒｓｈｉｐ  Ｐｒｏｊｅｃｔ  （３ＧＰＰ）  Ｌｏｎｇ  Ｔｅｒｍ  Ｅｖｏｌｕｔｉｏｎ  （ＬＴＥ）プロジェクトに適合した＋ＣＤＵコマンドである、
請求項２２に記載の方法。
【請求項２６】
前記ＭＴはトランシーバと、ＴＥインタフェースと、前記メディアプロファイルを生成するメディアプロファイル生成モジュールとを有する、請求項２０に記載の方法。
【請求項２７】
端末機器（ＴＥ）とモバイル終端（ＭＴ）とを有するモバイルデバイスにより利用される方法であって、
前記ＭＴが、リモートパーティから呼を受け取るステップと、
前記ＭＴから前記ＴＥに、前記呼に対して第１のメディアプロファイルを提案するコマンドを送るステップであって、前記コマンドは前記第１のメディアプロファイルのメディア記述を含み、前記メディア記述はセッション記述プロトコル（ＳＤＰ）に適合する、ステップと、
前記ＴＥが、前記第１のメディアプロファイルを受け入れ、または前記呼に対する第２のメディアプロファイルを前記ＴＥから前記ＭＴに提案する、
方法。
【請求項２８】
前記コマンドはＡＴコマンドである、請求項２７に記載の方法。
【請求項２９】
前記ＭＴはトランシーバと、ＴＥインタフェースと、前記メディアプロファイルを生成するメディアプロファイル生成モジュールとを有する、請求項２７に記載の方法。
【請求項３０】
端末機器（ＴＥ）とモバイル終端（ＭＴ）とを有するモバイルデバイスにより利用される方法であって、
前記ＴＥから前記ＭＴに、呼に対してメディアプロファイルを修正するコマンドを送信するステップであって、前記コマンドは前記メディアプロファイルのメディア記述を含み、前記メディア記述はセッション記述プロトコル（ＳＤＰ）に適合する、ステップと、
前記ＭＴが、前記コマンドに応じて前記メディアプロファイルを修正するステップとを有する、
方法。
【請求項３１】
前記コマンドはＡＴコマンドである、請求項３０に記載の方法。
【請求項３２】
前記ＭＴはトランシーバと、ＴＥインタフェースと、前記メディアプロファイルを生成するメディアプロファイル生成モジュールとを有する、請求項３０に記載の方法。